(57)【要約】【課題】ハードウェアスイッチの位置や、そのスイッチに対応付けられた付属機能を的確に把握することが困難であった。【解決手段】車両に設けられた操作部によって前記車両の付属機能を利用するための利用指示を受け付けるハードウェアスイッチと、前記付属機能を示す情報とその利用指示を行う指示部とを前記画面に表示するとともに前記指示部に対する指示操作によって前記付属機能の利用指示を受け付けるソフトウェアスイッチと、のいずれか一方が操作されたときに、当該操作されたスイッチによって利用される付属機能に対応した他方のスイッチを特定するための情報を提示する。【選択図】図１
2008179211.tif 000002
【特許請求の範囲】
【請求項１】
車両に設けられた操作部によって前記車両の付属機能を利用するための利用指示を受け付けるハードウェアスイッチと、
前記付属機能を示す情報とその利用指示を行う指示部とを所定の画面に表示するとともに前記指示部に対する指示操作によって前記付属機能の利用指示を受け付けるソフトウェアスイッチと、
前記ハードウェアスイッチと前記ソフトウェアスイッチとのいずれか一方が操作されたときに、当該操作されたスイッチによって利用される付属機能に対応した他方のスイッチを特定するための情報を提示するスイッチ特定情報提示手段と、
を備えるスイッチ制御装置。
【請求項２】
前記ハードウェアスイッチは、前記操作部に対応した発光部を備え、
前記スイッチ特定情報提示手段は、前記他方のスイッチが前記ハードウェアスイッチであるときに前記発光部を発光させる、
請求項１に記載のスイッチ制御装置。
【請求項３】
前記スイッチ特定情報提示手段は、前記他方のスイッチが前記ソフトウェアスイッチであるときに前記付属機能を示す情報と前記指示部とのいずれかまたは双方を強調表示する、
請求項１または請求項２のいずれかに記載のスイッチ制御装置。
【請求項４】
前記スイッチ特定情報提示手段は、前記ハードウェアスイッチが操作されたとき、そのスイッチによって利用される付属機能を示す情報と当該付属機能の利用指示を行う指示部とのいずれかまたは双方を前記画面に表示する、
請求項１に記載のスイッチ制御装置。
【請求項５】
スイッチの表示を制御するスイッチ制御方法であって、
車両に設けられた操作部によって前記車両の付属機能を利用するための利用指示を受け付けるハードウェアスイッチと、前記付属機能を示す情報とその利用指示を行う指示部とを前記画面に表示するとともに前記指示部に対する指示操作によって前記付属機能の利用指示を受け付けるソフトウェアスイッチと、のいずれか一方が操作されたときに、当該操作されたスイッチによって利用される付属機能に対応した他方のスイッチを特定するための情報を提示する、
スイッチ制御方法。
【発明の詳細な説明】
【技術分野】
【０００１】
本発明は、車両に設けられた付属機能を利用するスイッチの制御装置および方法に関する。
【背景技術】
【０００２】
車両のシートのポジション調整やミラーの角度調整など、車両には各種の付属機能が設けられており、通常、各種スイッチによってこれらの付属機能を利用する。このようなスイッチとして、操作部によって付属機能を調整するハードウェアスイッチや、タッチディスプレイにシートやミラーの画像等を表示し、タッチ操作によって各種付属機能を動作させるソフトウェアスイッチが知られている（例えば、特許文献１）。
【特許文献１】特開２００５−１５３６８４号公報
【発明の開示】
【発明が解決しようとする課題】
【０００３】
従来の技術においては、ハードウェアスイッチの位置や、そのスイッチに対応付けられた付属機能を的確に把握することが困難であった。
すなわち、車両のハードウェアスイッチにおいてはシートの横やダッシュボードの下部など運転者から見づらい位置にスイッチが設けられることが多く、このような場合にはハードウェアスイッチの位置や対応付けられた付属機能を的確に把握することが困難である。また、車両の付属機能の数が多いと各付属機能を操作するためのハードウェアスイッチの数が非常に多数となるため、やはり、各ハードウェアスイッチの位置や対応付けられた付属機能を的確に把握することが困難である。
【０００４】
さらに、上述の従来の技術のように、タッチディスプレイによるソフトウェアスイッチを利用する際には画面上への視線移動や画面の切り替え等が必要になる。従って、タッチディスプレイ上に表示されているソフトウェアスイッチを視認しながらハードウェアスイッチを認識あるいは操作することは困難である。このため、やはりハードウェアスイッチとソフトウェアスイッチとの対応関係を明確に把握することは困難であった。
本発明は、上記課題にかんがみてなされたもので、ハードウェアスイッチの位置や、そのスイッチに対応付けられたソフトウェアスイッチを的確に把握させるための技術を提供することを目的とする。
【課題を解決するための手段】
【０００５】
上記の目的を達成するため、本発明においては、ハードウェアスイッチとソフトウェアスイッチとによって車両に設の付属機能を操作する構成において、ハードウェアスイッチとソフトウェアスイッチとのいずれか一方が操作されたときに、当該操作されたスイッチによって利用される付属機能に対応した他方のスイッチを特定するための情報を提示する。
【０００６】
すなわち、ハードウェアスイッチが操作されたときにはそのハードウェアスイッチによって利用される付属機能に対応したソフトウェアスイッチを特定するための情報が提示される。また、ソフトウェアスイッチは、付属機能を示す情報と付属機能の利用指示を行う指示部とを前記画面に表示したスイッチである。従って、上述のようにハードウェアスイッチの操作に応じてソフトウェアスイッチを特定するための情報を提示すると、前記画面上でハードウェアスイッチに対応した付属機能が明示されることになる。このため、操作者は、操作したハードウェアスイッチにて利用可能な付属機能を把握することが可能である。
【０００７】
一方、ソフトウェアスイッチが操作されたときにはそのソフトウェアスイッチによって利用される付属機能に対応したハードウェアスイッチを特定するための情報が提示される。上述のようにソフトウェアスイッチにおいては、前記画面上に、ソフトウェアスイッチによって利用する付属機能が明示されているため、ソフトウェアスイッチを操作する段階でその操作者はソフトウェアスイッチに対応付けられた付属機能を明確に把握している。
【０００８】
従って、ソフトウェアスイッチの操作に応じてハードウェアスイッチを特定するための情報が提示されると、ソフトウェアスイッチに対応付けられた付属機能を利用するためのハードウェアスイッチの位置を的確に把握することが可能である。さらに、この動作を数回繰り返せば、スイッチの操作者は容易に適切なハードウェアスイッチの位置を記憶することができるので、一旦、その位置を記憶すれば、車両のエンジン停止中やエンジン始動前等においてソフトウェアスイッチを駆動していない状態であってもハードウェアスイッチによって容易に付属機能を利用することが可能である。
【０００９】
ここで、ハードウェアスイッチにおいては、操作部に対して指などによって物理的な動作を与えることによって付属機能を利用するための利用指示を行うことができればよく、例えば、ボタン，レバー，つまみ，ダイヤル等の押込操作，揺動操作，回転操作，移動操作等によって利用指示を受け付けるスイッチを採用可能である。
【００１０】
また、車両における付属機能としては、ハードウェアスイッチとソフトウェアスイッチとによって利用指示を行うすべての機能が想定され、例えば、ステアリングやシート，ミラー，ヘッドレスト等の位置調整機能や角度調整機能，シートヒータ機能，ドライビングポジションの記憶機能，エアコン機能，オーディオ機能，駐車アシスト実行指示機能，ナビゲーションシステムによる案内実行指示機能など、スイッチによって利用可能なあらゆる機能が前記付属機能に相当する。
【００１１】
さらに、ソフトウェアスイッチにおいては、画面上で付属機能を示す情報とその利用指示を行う指示部とを明示することができればよく、その態様は特に限定されない。例えば、付属機能を示す情報として、付属機能を示すアイコンを表示しても良いし、付属機能を示す文字を表示してもよく、各種の態様を採用可能である。また、指示部においても当該指示部に対する指示操作によって付属機能の利用指示を行うことができればよく、ここでも、付属機能の利用状態（例えば、シートポジション調整時のシート移動方向）を示すアイコンや文字等を採用可能である。
【００１２】
また、ソフトウェアスイッチにおいて、前記指示部に対する指示操作は付属機能の利用指示を実施するための指示操作であればよく、前記画像表示手段の画面をタッチパネルによって構成し、指示部に対するタッチ操作を前記指示操作としても良いし、画面に付属したカーソルキーやダイヤル等によって指示部を選択可能に構成し、所望の指示部を選択して指示操作を行う構成としてもよく、種々の構成を採用可能である。
【００１３】
さらに、上述の画面においては画像を表示することができればよく、少なくともソフトウェアスイッチとしての表示内容に相当する画像を表示することができればよいが、むろん、ナビゲーションシステムやインストルメントパネル等の画像表示手段を流用しても良いし、ＨＵＤ等を利用しても良い。
【００１４】
さらに、スイッチ特定情報提示手段においては、ある付属機能を利用するためにハードウェアスイッチとソフトウェアスイッチとのいずれか一方が操作されたときに、その付属機能を操作するための他方のスイッチを特定するための情報を提示することができればよい。ここで、スイッチを特定するための情報としては、スイッチの存在を操作者に認識させるためのあらゆる情報がこれに相当し、画像，音声等によってスイッチの位置を示す情報を提示する構成やスイッチを示す情報を画面上で表示する構成、スイッチを示す表示を強調する構成等を採用可能である。
【００１５】
例えば、ハードウェアスイッチを特定するための情報を提示する構成としては、ハードウェアスイッチを構成する操作部に発光部を組み付け、当該発光部を発光させることによってハードウェアスイッチ自体からその位置を示す光を出力するように構成してもよいし、ハードウェアスイッチの周囲に設けた発光部によって当該ハードウェアスイッチを照らす構成を採用してもよく、種々の構成を採用可能である。
【００１６】
また、ソフトウェアスイッチを特定するための情報を提示する構成としては、画面上に複数のソフトウェアスイッチが表示されている状況において、利用指示のなされた付属機能に対応したソフトウェアスイッチを強調表示して当該ソフトウェアスイッチを特定させる構成や、画面上に表示されていなかったソフトウェアスイッチを表示してソフトウェアスイッチを特定させる構成等を採用可能である。むろん、ソフトウェアスイッチの表示においては、ハードウェアスイッチに対応したソフトウェアスイッチを明示することができればよく、前記付属機能を示す情報と当該付属機能の利用指示を行う指示部とのいずれかまたは双方を画面に表示すればよい。
【００１７】
さらに、本発明のようにハードウェアスイッチとソフトウェアスイッチとのいずれか一方が操作されたときに、他方のスイッチを特定するための情報を提示する手法は、プログラムや方法としても適用可能である。また、以上のようなスイッチ制御装置、プログラム、方法は、単独のスイッチ制御装置として実現される場合もあれば、車両に備えられる各部と共有の部品を利用して実現される場合もあり、各種の態様を含むものである。例えば、以上のようなスイッチ制御装置を備えたナビゲーション装置や方法、プログラムを提供することが可能である。また、一部がソフトウェアであり一部がハードウェアであったりするなど、適宜、変更可能である。さらに、スイッチ制御装置を制御するプログラムの記録媒体としても発明は成立する。むろん、そのソフトウェアの記録媒体は、磁気記録媒体であってもよいし光磁気記録媒体であってもよいし、今後開発されるいかなる記録媒体においても全く同様に考えることができる。
【発明を実施するための最良の形態】
【００１８】
ここでは、下記の順序に従って本発明の実施の形態について説明する。
（１）スイッチ制御装置の構成：
（２）スイッチ制御処理：
（３）他の実施形態：
【００１９】
（１）スイッチ制御装置の構成：
図１は、車両に搭載されたスイッチ制御装置１０の構成を示すブロック図である。本実施形態におけるスイッチ制御装置１０は、車両に設けられたハードウェアスイッチ２０ａ，２０ｂ〜２０ｍ，２０ｎとアクチュエータ２３ａ，２３ｂ〜２３ｍ，２３ｎとナビゲーション装置３０と表示部４０とが協働することによって実現される。
【００２０】
ハードウェアスイッチ２０ａ，２０ｂ〜２０ｍ，２０ｎは、車両における各種の可動部を動作させる機能（請求項における付属機能に相当する）を実現するために、アクチュエータ２３ａ，２３ｂ〜２３ｍ，２３ｎと組で構成されたスイッチである。表示部４０は、車両に設けられたディスプレイに任意の画像を表示するユニットであり、本実施形態においては画面に対する指の接触によって指示操作を受け付けるタッチパネルを備えている。
【００２１】
ナビゲーション装置３０は、図示しないＧＰＳ受信部における受信信号や図示しない記憶媒体に記憶された地図情報等を利用して車両を案内するナビゲーション処理を実行するシステムであり、この機能の一部としてソフトウェアスイッチを実現し、また、スイッチの制御を実施するように構成されている。すなわち、ナビゲーション装置３０は図示しないＣＰＵ，ＲＡＭ，ＲＯＭ等によって所定のプログラムを実行するＥＣＵ３１を備えており、当該ＥＣＵ３１によって上述のソフトウェアスイッチやスイッチの制御機能を含むナビゲーションプログラム３２を実施する。
【００２２】
また、ＥＣＵ３１はハードウェアスイッチ２０ａ，２０ｂ〜２０ｍ，２０ｎとアクチュエータ２３ａ，２３ｂ〜２３ｍ，２３ｎと表示部４０とに接続されており、当該ＥＣＵ３１はハードウェアスイッチ２０ａ，２０ｂ〜２０ｍ，２０ｎ、アクチュエータ２３ａ，２３ｂ〜２３ｍ，２３ｎおよび表示部４０と信号の授受を行って各部の制御を行い、また、各部から情報を取得する。
【００２３】
より具体的には、車両に複数の可動部Ａ，Ｂ〜Ｍ，Ｎが設けられており、各可動部に対応するハードウェアスイッチ２０ａ，２０ｂ〜２０ｍ，２０ｎとアクチュエータ２３ａ，２３ｂ〜２３ｍ，２３ｎが設けられている。また、各ハードウェアスイッチには操作部２１ａ，２１ｂ〜２１ｍ，２１ｎが設けられている。さらに、ハードウェアスイッチとソフトウェアスイッチとの双方によって利用可能な可動部（図１に示す例では可動部Ａ，Ｂ〜Ｍ）においては、そのハードウェアスイッチに発光部が設けられている。すなわち、図１に示す例においては、ハードウェアスイッチ２０ａ，２０ｂ〜２０ｍに発光部２２ａ，２２ｂ〜２２ｍが設けられている。
【００２４】
操作部２１ａ，２１ｂ〜２１ｍ，２１ｎは、指などによって物理的な動作を与えることが可能なボタン，レバー，つまみ，ダイヤル等の機構であり、この機構に対する押込操作，揺動操作，回転操作，移動操作等によって各種の可動部を動作させるための指示を行う。すなわち、操作部２１ａ，２１ｂ〜２１ｍ，２１ｎが操作されるとその操作に応じた信号が出力され、ＥＣＵ３１はこの信号によってその操作内容を取得する。
【００２５】
発光部２２ａ，２２ｂ〜２２ｍは各操作部２１ａ，２１ｂ〜２１ｍに組み込まれており、ＥＣＵ３１が出力する信号に応じて発光する。また、各発光部２２ａ，２２ｂ〜２２ｍは、その出力光が各操作部２１ａ，２１ｂ〜２１ｍの外部に出力されるように構成されている。従って、発光部２２ａ，２２ｂ〜２２ｍが発光しているときには対応する操作部２１ａ，２１ｂ〜２１ｍから光が出力され、運転者は各操作部２１ａ，２１ｂ〜２１ｍの位置を極めて容易に特定することができる。
【００２６】
アクチュエータ２３ａ，２３ｂ〜２３ｍ，２３ｎは、電気的な信号に応じて物理的な運動を行う機構であり、ＥＣＵ３１が出力する信号に応じて車両に搭載された可動部を動作させる。例えば、車両に搭載されたシートは、リクライニング，座面の前後移動，上下移動，角度調整等を実施する機能を備えており、シートの各部が可動である。そこで、これらの各部にアクチュエータ２３ａ，２３ｂ〜２３ｍ，２３ｎを組み込み、ＥＣＵ３１の制御下でアクチュエータを駆動することによって前記各部を動作させるように構成する。
【００２７】
なお、本実施形態においては、アクチュエータによって上述のシートの他、ステアリングの前後移動，上下移動およびドアミラーの角度調整を実施可能に構成されている。また、本実施形態において、発光部を備えていないハードウェアスイッチ２０ｎは、ソフトウェアスイッチによる利用を想定していない可動部を動作させるためのスイッチ（例えば、トランクを開けるためのスイッチ）である。
【００２８】
図２は、ハードウェアスイッチの一例を示す図であり、同図２においては車両に搭載された運転席のシート５０を斜視図で示している。シート５０は、座面５０ａを構成する部位の側面に複数の操作部２１ａ，２１ｂ，２１ｃを備えており、各操作部２１ａ，２１ｂ，２１ｃによって座面５０ａの前後移動，リクライニング，上下移動および角度調整を実施可能である。なお、図２においては、操作部２１ａを拡大して示している。
【００２９】
当該操作部２１ａは、座面５０ａを構成する部位の側面に略矩形の部位が突出した構成であり、操作部２１ａの前側を押込操作することによって座面５０ａを前側に移動させる指示を行い、操作部２１ａの後側を押込操作することによって座面５０ａを後側に移動させる指示を行う構成となっている。例えば、操作部２１ａの前側を押込操作することによって当該押込操作がなされたことを示す信号がＥＣＵ３１に出力され、ＥＣＵ３１はこの信号に応じて座面５０ａを前側に移動させるための信号を出力し、アクチュエータ２３ａがこの信号に応じて駆動して座面５０ａを前側に移動させる。
【００３０】
また、操作部２１ａの内部には発光部２２ａが組み込まれており、ＥＣＵ３１がスイッチ特定情報提示部３２ｂの指示に基づいて当該発光部２２ａを発光させるための信号を出力すると、発光部２２ａが発光し、操作部２１ａを特定するための情報（光出力）を運転者に提示する。なお、本実施形態において、前記可動部Ａ，Ｂ〜Ｍにはシート５０以外にもステアリングやドアミラーが含まれ、ハードウェアスイッチによる動作指示によってアクチュエータを駆動し、各部を動作させるように構成されている。
【００３１】
一方、本実施形態において、ソフトウェアスイッチは、ナビゲーションプログラム３２が備えるソフトウェアスイッチ制御部３２ａとＥＣＵ３１と表示部４０とによって実現される。ＥＣＵ３１は、ソフトウェアスイッチ制御部３２ａを実行し、当該ソフトウェアスイッチ制御部３２ａの処理に基づいて可動部Ａ，Ｂ〜Ｍの動作を示す情報とその動作を行わせる指示を行う指示部とを表示させるための信号を表示部４０に出力する。
【００３２】
表示部４０は、この信号に基づいて可動部Ａ，Ｂ〜Ｍの動作を示す情報と指示部とを表示する。本実施形態において、表示部４０は指示操作受付部４０ａを備えており、画面上への指等の接触を検出することができる。すなわち、指示操作受付部４０ａは、画面上で指等が接触された部位を検出し、その位置を示す信号を出力するように構成されており、ＥＣＵ３１はこの信号に基づいて表示部４０の画面に対するタッチ操作を取得する。従って、ＥＣＵ３１は、上述の指示部に対するタッチ操作を取得することによって可動部Ａ，Ｂ〜Ｍに対する動作指示を取得することができる。
【００３３】
ＥＣＵ３１が、当該可動部Ａ，Ｂ〜Ｍに対する動作指示を受け付けると、ソフトウェアスイッチ制御部３２ａは、当該動作指示がなされた可動部Ａ，Ｂ〜Ｍを特定し、対応するアクチュエータ２３ａ，２３ｂ〜２３ｍを駆動するための信号を出力する。以上の構成により、表示部４０にて指示された可動部が駆動することになり、表示部４０における表示に応じてアクチュエータを駆動させるソフトウェアスイッチが実現されている。
【００３４】
図３は、ソフトウェアスイッチを実現する際に表示部４０に表示される画面の一例を示す図である。同図３に示す画面４１においては、車両の可動部Ａ，Ｂ〜Ｍのうち、ステアリングとシートとドアミラーとを動作させるためのソフトウェアスイッチが表示されている。すなわち、画面４１には、ステアリング，シート，ドアミラーを示す画像とともにその動作を示す矢印の画像を表示し、この表示によって可動部の機能を示している。また、可動部の動作に対応した指示部を三角形の画像で表示し、その利用指示を行うように構成している。従って、運転者が画面４１に表示された三角形に触れると、ステアリング，シート，ドアミラーにおいて当該三角形に対応したアクチュエータが駆動され、指示された動作がなされる。
【００３５】
本実施形態においては、上述のようにハードウェアスイッチの操作部がシート５０の座面５０ａを構成する部位の側面に取り付けられており、車両を運転する総ての運転者（特に始めてこの車両を運転する運転者）が即座に適切なハードウェアスイッチの位置を認識できるとは限らない。また、本実施形態における車両は可動部が複数個設けられており、ハードウェアスイッチも複数個設けられているため、運転者が各スイッチの機能を的確に把握することは困難である。そこで、本実施形態においては、ナビゲーションプログラム３２にスイッチ特定情報提示部３２ｂが設けられており、以下の処理によってハードウェアスイッチの位置や機能を明示する。
【００３６】
（２）スイッチ制御処理：
ナビゲーションプログラム３２を実行している状態において、ＥＣＵ３１は運転者の指示等によって適宜ソフトウェアスイッチ制御部３２ａを実行してソフトウェアスイッチによる可動部の動作を行うことができる。また、ＥＣＵ３１やアクチュエータ等に電力を供給可能な任意の状態においてハードウェアスイッチ２０ａ，２０ｂ〜２０ｍ，２０ｎによる可動部の動作を行うことができる。
【００３７】
一方、ＥＣＵ３１のスイッチ特定情報提示部３２ｂは図４に示す処理を行っており、スイッチの操作を受け付けたか否かを判別している（ステップＳ１００）。すなわち、ＥＣＵ３１は、ソフトウェアスイッチに基づくスイッチの操作（表示部４０が出力する信号）またはハードウェアスイッチの操作部に対する操作（操作部に対する操作によって出力される信号）を受け付けたか否かを判別している。
【００３８】
当該ステップＳ１００にてスイッチの操作を受け付けたと判別したときには、受け付けたスイッチに対応した可動部を動作させるためのハードウェアスイッチとソフトウェアスイッチとの双方が存在するか否かを判別する（ステップＳ１０５）。当該ステップＳ１０５にてハードウェアスイッチとソフトウェアスイッチとの双方が存在すると判別されたときには、操作されたスイッチがソフトウェアスイッチであるか否かを判別する（ステップＳ１１０）。
【００３９】
当該ステップＳ１１０にてソフトウェアスイッチが操作されたと判別されたときには、このソフトウェアスイッチに対応するハードウェアスイッチの発光部を点灯させる（ステップＳ１１５）。すなわち、ＥＣＵ３１が表示部４０からの信号を受信することによって動作すべき可動部が判明するので、ＥＣＵ３１はその可動部に対応した発光部を点灯させるための信号を出力する。
【００４０】
ステップＳ１１０にてハードウェアスイッチが操作されたと判別されたときには、このハードウェアスイッチに対応するソフトウェアスイッチを特定するための情報を表示部４０の画面上で提示する（ステップＳ１２０）。すなわち、ＥＣＵ３１がハードウェアスイッチの操作部からの信号を受信することによって動作すべき可動部が判明するので、ＥＣＵ３１はその可動部に対応したソフトウェアスイッチを特定するための情報を表示するための信号を表示部４０に出力する。
【００４１】
なお、ここでは、操作されたハードウェアスイッチに対応したソフトウェアスイッチを特定するための情報を提示することができればよく、表示部４０において図３に示すようなソフトウェアスイッチが表示されていない状態においては、少なくとも操作されたハードウェアスイッチに対応したソフトウェアスイッチを画面上に表示する。表示部４０において図３に示すようなソフトウェアスイッチが表示されている状態であれば、操作されたハードウェアスイッチに対応したソフトウェアスイッチを強調表示する。例えば、図３に示すようなソフトウェアスイッチが表示されている状態で、操作部２１ａにて座面を後方に移動させる押込操作がなされたとき、その押込操作に対応した三角形の指示部にハッチングを付すなどして表示部４０の画面上で強調表示する。むろん、表示部４０において図３に示すようなソフトウェアスイッチが表示されていない状態において、図３に示すように複数のソフトウェアスイッチを表示するとともに、操作されたハードウェアスイッチに対応したソフトウェアスイッチを強調表示する構成を採用しても良い。
【００４２】
一方、ステップＳ１０５にてハードウェアスイッチとソフトウェアスイッチとの双方が存在すると判別されないときには、ステップＳ１１０〜Ｓ１２０をスキップする。すなわち、本実施形態においては、図１に示す可動部Ｎのようにハードウェアスイッチとソフトウェアスイッチとの一方のみしか設けられていないスイッチが存在し、このようなスイッチにおいてはハードウェアスイッチの位置や機能を明示することができない。そこで、ステップＳ１１０〜Ｓ１２０をスキップし、一方のスイッチ（操作されたスイッチ）に対応した可動部を動作させるための他方のスイッチを特定する情報を提示するための処理を行わない。
【００４３】
以上の処理を行うと、ＥＣＵ３１はステップＳ１００において操作を受け付けたスイッチに対応するアクチュエータを認識し（ステップＳ１２５）、このアクチュエータを駆動させる（ステップＳ１３０）。すなわち、ＥＣＵ３１はスイッチによる操作対象のアクチュエータを駆動するための信号を出力し、アクチュエータがこの信号に応じて動作することによって操作対象となっている可動部を動作させる。
【００４４】
以上のように、ソフトウェアスイッチが操作されたとき、例えば、図３に示すハッチングを付した指示部にてシートの座面を後方に移動させる指示がなされたとき、ステップＳ１２５，Ｓ１３０にてシートの座面を後方に移動させるが、このとき、対応するハードウェアスイッチの操作部２１ａにて発光部２２ａが点灯している。ソフトウェアスイッチを操作する際に、運転者は表示部４０の表示を視認しながら操作を行うので、操作対象が座面であり、その指示が後方への移動であることを明確に把握している。
【００４５】
本実施形態においては、この状態において操作部２１ａを発光部２２ａにて示すので、当該操作部２１ａが座面を後方に移動させるためのスイッチであることを極めて容易に認識することができる。従って、この操作を少なくとも一回、好ましくは数回繰り返すとその運転者は座面を後方に移動させるためのハードウェアスイッチの位置を覚えることができ、一旦、その位置を記憶すれば、車両のエンジン停止中やエンジン始動前等においてソフトウェアスイッチを駆動していない状態であってもハードウェアスイッチによって容易に付属機能を利用することが可能である。
【００４６】
また、ハードウェアスイッチが操作されたとき、例えば、表示部４０において図３に示すソフトウェアスイッチが表示されている状態において、図２に示す操作部２１ａにて座面を後方に移動させる押込操作がなされたとき、座面を後方に移動させるためのソフトウェアスイッチにおいて、図３に示すように三角形の指示部にハッチングを付すなどして表示部４０の画面上で強調表示する。従って、運転者が操作部２１ａによる操作対象を明確に把握することなく操作部２１ａを操作したとしても、その操作対象が座面であり、その指示が後方への移動であることを容易に把握することができる。
【００４７】
（３）他の実施形態：
以上の実施形態は本発明を実施するための一例であり、ハードウェアスイッチとソフトウェアスイッチとのいずれか一方が操作されたときに、他方のスイッチを特定するための情報を提示することができる限りにおいて、他にも種々の実施形態を採用可能である。例えば、上述のスイッチ制御装置においては、複数のスイッチの制御をＥＣＵ３１が行っていたが、複数のスイッチの制御を複数のＥＣＵで行うように構成してもよい。
【００４８】
図５は、複数のスイッチのそれぞれに対応したＥＣＵが設けられている車両のスイッチ制御装置を示すブロック図である。同図５において、図１と同じ符号を付して示した要素は上述の要素と同様の構成となっている。本実施形態において、各ハードウェアスイッチ２０ａ，２０ｂ〜２０ｍの操作部２１ａ，２１ｂ〜２１ｍ，発光部２２ａ，２２ｂ〜２２ｍとアクチュエータ２３ａ，２３ｂ〜２３ｍとのそれぞれはＥＣＵ３１０ａ，３１０ｂ〜３１０ｍのそれぞれに対して接続されている。
【００４９】
すなわち、各ＥＣＵ３１０ａ，３１０ｂ〜３１０ｍは、操作部の操作に基づいてアクチュエータを駆動可能であり、表示部４００から出力される信号に応じて発光部を点灯させることが可能である。また、操作部が操作されたときにその操作部を示す信号を表示部に対して出力することが可能である。
【００５０】
さらに、ＥＣＵ３１０ａ，３１０ｂ〜３１０ｍは表示部４００に接続されている。表示部４００においては、図示しないＥＣＵによって各種のプログラムを実行可能であり、各種の画像を表示することができる。本実施形態においては、当該図示しないＥＣＵにおいてソフトウェアスイッチ制御部３２０ａを実行してソフトウェアスイッチを実現することが可能である。すなわち、上述の図３と同様のインタフェースによって可動部に対する操作指示を受け付け、対応するアクチュエータに接続されたＥＣＵに対してその動作指示を示す信号を出力する。なお、ハードウェアスイッチ２０ｎは、ソフトウェアスイッチによる利用を想定していない可動部を動作させるためのスイッチであり、ＥＣＵ３１０ｎに制御されるが、ＥＣＵ３１０ｎは表示部４００に接続されていない。
【００５１】
ＥＣＵ３１０ａ，３１０ｂ〜３１０ｍはハードウェアスイッチの位置や機能を明示するためにスイッチ特定情報提示部３２０ａ，３２０ｂ〜３２０ｍよる処理を実行可能である。図６，図７は、当該スイッチ特定情報提示部３２０ａ，３２０ｂ〜３２０ｍによる処理を示すフローチャートである。
【００５２】
スイッチ特定情報提示部３２０ａ，３２０ｂ〜３２０ｍにおいては、ハードウェアスイッチとソフトウェアスイッチとの操作指示を受け付けており、ハードウェアスイッチによる操作を受け付けたとき（ステップＳ２００）には、対応するアクチュエータを駆動し（ステップＳ２０５）、対応するソフトウェアスイッチが存在するか否かを判別する（ステップＳ２１０）。そして、ステップＳ２１０にて対応するソフトウェアスイッチが存在すると判別されたときには、そのソフトウェアスイッチを特定するための情報を表示部４００の画面上で提示する（ステップＳ２１５）。従って、操作したハードウェアスイッチに対応した操作対象とその動作を容易に把握することができる。
【００５３】
一方、ソフトウェアスイッチによる操作を受け付けたとき（ステップＳ３００）には、対応するアクチュエータを駆動し（ステップＳ３０５）、対応するハードウェアスイッチが存在するか否かを判別する（ステップＳ３１０）。そして、ステップＳ３１０にて対応するハードウェアスイッチが存在すると判別されたときには、そのハードウェアスイッチに対応した発光部を点灯させる（ステップＳ３１５）。従って、運転者は、ハードウェアスイッチの位置を容易に認識し、覚えることができる。
【００５４】
さらに、上述の実施形態においては、スイッチによる操作対象がステアリング，シート，ミラー等の可動部であったが、操作対象は可動部に限定されず車両内の付属機能を利用する利用指示を行うスイッチの総てに対して本発明を適用することができる。例えば、ヘッドレスト等の位置調整機能や角度調整機能，シートヒータ機能，ドライビングポジションの記憶機能，エアコン機能，オーディオ機能，駐車アシスト実行指示機能，ナビゲーションシステムによる案内実行指示機能を利用するスイッチに対して本発明を適用することができる。
【００５５】
さらに、上述の例においては運転席のシートに設けられたスイッチについて説明したが、むろん、シートは運転席に限られず、助手席や後部座席の可動部を動作させるスイッチについて本発明を適用しても良い。
【００５６】
さらに、図３に示すソフトウェアスイッチの態様は一例であり、図３に示すようにスイッチによって利用する付属機能を示すアイコンを表示する構成としても良いし、付属機能を示す文字を表示してもよく、各種の態様を採用可能である。また、指示部においても、当該指示部に対する指示操作によって付属機能の利用指示を行うことができればよく、図３に示すように三角形等のアイコンによって指示部を構成する例の他、付属機能の利用状態（例えば、シートポジション調整時のシート移動方向）を示す文字等によって指示部を構成してもよい。
【００５７】
むろん、ソフトウェアスイッチを特定するための情報を提示する際には、スイッチによる操作対象を明示することができればよいので、上述のように三角形の指示部を強調表示する構成の他、付属機能を示す情報、すなわち、シートのアイコンやシートに重ねられた矢印も合わせて強調表示する構成を採用しても良いし、付属機能を示す情報を強調表示する構成を採用しても良い。
【００５８】
画面にソフトウェアスイッチが表示されていない状態でハードウェアスイッチが操作されたとき、そのハードウェアスイッチに対応したソフトウェアスイッチを画面に表示する構成においても各種の表示態様を採用可能である。すなわち、ソフトウェアスイッチを画面に表示する際に、操作されたハードウェアスイッチに対応した付属機能を示す情報を表示する構成としても良いし、当該付属機能の利用指示を行う指示部によって付属機能を特定できる場合には当該指示部を画面に表示する構成としても良い。むろん、双方を表示する構成としても良い。
【００５９】
さらに、ソフトウェアスイッチにおける指示操作の入力は、指示操作受付部４０ａの制御に基づくタッチパネルに対するタッチ操作によって行う構成に限定されず、画面に付属したカーソルキーやダイヤル等によって指示部を選択可能に構成し、所望の指示部を選択した状態で指示操作を行う構成としてもよく、種々の構成を採用可能である。
【００６０】
さらに、表示部４０の画面においては、少なくともソフトウェアスイッチとしての表示内容に相当する画像を表示することができればよく、インストルメントパネル等の画像表示手段を流用しても良いし、ＨＵＤ等を利用しても良い。
【００６１】
さらに、上述の実施形態においてはハードウェアスイッチを特定するための情報を、操作部に組み込まれた発光部からの出力光によって提示しているが、他にも、スイッチの存在を操作者に認識させるためのあらゆる情報によってハードウェアスイッチを特定するための情報を構成することができる。例えば、画像，音声等によってスイッチの位置を示す情報であっても良いし、ハードウェアスイッチの周囲に設けた発光部によってハードウェアスイッチを照らす構成を採用してもよく、種々の構成を採用可能である。
【図面の簡単な説明】
【００６２】
【図１】車両に搭載されたスイッチ制御装置の構成を示すブロック図である。
【図２】ハードウェアスイッチの一例を示す図である。
【図３】ソフトウェアスイッチの一例を示す図である。
【図４】スイッチ制御処理を示すフローチャートである。
【図５】スイッチ制御装置を示すブロック図である。
【図６】スイッチ制御処理を示すフローチャートである。
【図７】スイッチ制御処理を示すフローチャートである。
【符号の説明】
【００６３】
１０…スイッチ制御装置、２０ａ，２０ｂ〜２０ｍ，２０ｎ…ハードウェアスイッチ、２１ａ，２１ｂ〜２１ｍ，２１ｎ…操作部、２２ａ，２２ｂ〜２２ｍ…発光部、２３ａ，２３ｂ〜２３ｍ，２３ｎ…アクチュエータ、３０…ナビゲーション装置、３１…ＥＣＵ、３２…ナビゲーションプログラム、３２ａ…ソフトウェアスイッチ制御部、３２ｂ…スイッチ特定情報提示部、４０…表示部、４０ａ…指示操作受付部、４１…画面、５０…シート、５０ａ…座面
【図１】
2008179211.tif 000003
【図２】
2008179211.tif 000004
【図３】
2008179211.tif 000005
【図４】
2008179211.tif 000006
【図５】
2008179211.tif 000007
【図６】
2008179211.tif 000008
【図７】
2008179211.tif 000009